(57)【要約】【課題】停電時に点灯することができ、かご室の意匠に与える影響を抑制することができるエレベータ装置を提供すること。【解決手段】エレベータ装置１−１は、かご２と、操作盤３と、表示パネル４と、表示制御装置５と、停電時電力供給装置６とを備える。かご２は、利用者が乗降するものである。操作盤３は、利用者が少なくともかごの行先階の登録を行うものであり、かご室に設けられている。表示パネル４は、点灯することで、かご２の運転情報を表示するものであり、操作盤３に設けられている。表示制御装置５は、表示パネル４の点灯を制御するものである。停電時電力供給装置６は、停電時に表示パネル４に電力を供給するものである。表示パネル４は、停電時に停電時電力供給装置６から供給された電力により点灯する。【選択図】図１
2012056739.tif 000002
【特許請求の範囲】
【請求項１】
利用者が乗降するかごと、
前記かごのかご室に設けられ、前記利用者が少なくとも前記かごの行先階の登録を行う操作盤と、
前記操作盤に設けられ、点灯することで前記かごの運転情報を表示する表示パネルと、
前記表示パネルの点灯を制御する表示制御装置と、
停電時に、前記表示パネルに電力を供給する停電時電力供給装置と、
を備え、
前記表示パネルは、前記停電時に前記停電時電力供給装置から供給された電力により点灯する
ことを特徴とするエレベータ装置。
【請求項２】
前記表示パネルは、前記かご室の床面に向けて傾斜している
ことを特徴とする請求項１に記載のエレベータ装置。
【請求項３】
前記表示パネルは、前記かご室の天井面から床面まで延在して設けられている
ことを特徴とする請求項１に記載のエレベータ装置。
【請求項４】
前記かご室に設けられ、前記表示パネルの輝度を前記利用者によって変更する輝度操作手段を備える
ことを特徴とする請求項１〜３のいずれか１つに記載のエレベータ装置。
【請求項５】
前記表示制御装置は、前記停電時に、前記表示パネルに表示させる停電時表示データを少なくとも１以上予め記録する記録部を有し、前記停電時に前記停電時表示データを前記表示パネルに表示させる
ことを特徴とする請求項１〜４のいずれか１つに記載のエレベータ装置。
【請求項６】
前記表示制御装置は、指示に基づいて、前記表示パネルに前記停電時表示データを表示させるものであり、
前記指示は、前記かごの外部に設置されている管理端末から前記表示制御装置が行う
ことを特徴とする請求項５に記載のエレベータ装置。
【請求項７】
前記表示制御装置は、指示に基づいて、前記表示パネルに前記停電時表示データを表示させるものであり、
前記指示は、前記かごの外部の携帯端末から前記表示制御装置が行う
ことを特徴とする請求項５に記載のエレベータ装置。
【発明の詳細な説明】
【技術分野】
【０００１】
本発明の実施形態は、エレベータ装置に関する。
【背景技術】
【０００２】
エレベータ装置のかごのかご室に設けられている通常灯は、外部からの電力により点灯しているため、停電時に消灯してしまう。従って、エレベータ装置は、停電時に、かごに予め搭載されているバッテリを電力源として点灯する停電灯を備える。
【先行技術文献】
【特許文献】
【０００３】
【特許文献１】特開２００１−１５１４４０号公報
【発明の概要】
【発明が解決しようとする課題】
【０００４】
従来の停電灯は、通常時にかご室に露出しており、かごを利用する利用者の目に留まるものであった。また、従来の停電灯には、通常時にかご室の壁面内部に格納されており、停電時にかご室に露出するものもあるが、停電灯を格納するための構造を壁面に設けることとなる。従来の停電灯は、かご室の意匠に影響を与える虞があった。
【０００５】
本発明は、上記に鑑みてなされたものであって、停電時に点灯することができ、かご室の意匠に与える影響を抑制することができるエレベータ装置を提供することを目的とする。
【課題を解決するための手段】
【０００６】
実施形態のエレベータ装置は、かごと、操作盤と、表示パネルと、表示制御装置と、停電時電力供給装置とを備える。かごは、利用者が乗降するものである。操作盤は、利用者が少なくともかごの行先階の登録を行うものであり、かご室に設けられている。表示パネルは、点灯することで、かごの運転情報を表示するものであり、操作盤に設けられている。表示制御装置は、表示パネルの点灯を制御するものである。停電時電力供給装置は、停電時に表示パネルに電力を供給するものである。表示パネルは、停電時に停電時電力供給装置から供給された電力により点灯する。
【図面の簡単な説明】
【０００７】
【図１】図１は、実施形態１に係るエレベータ装置の概略構成例を示す図である。
【図２】図２は、実施形態１に係るエレベータ装置のかご室を示す図である。
【図３】図３は、通常時の表示パネルを示す図である。
【図４】図４は、実施形態１に係るエレベータ装置の変形例を示す図である。
【図５】図５は、実施形態１に係るエレベータ装置の変形例を示す図である。
【図６】図６は、実施形態１に係るエレベータ装置の変形例を示す図である。
【図７】図７は、実施形態２に係るエレベータ装置の概略構成例を示す図である。
【図８】図８は、停電時の表示パネルを示す図である。
【図９】図９は、停電時の表示パネルを示す図である。
【図１０】図１０は、実施形態３に係るエレベータ装置の概略構成例を示す図である。
【発明を実施するための形態】
【０００８】
以下に、本発明につき図面を参照しつつ詳細に説明する。なお、下記の実施形態は例示であり、発明の範囲がそれらに限定されるものではない。また、下記の実施形態における構成要素には、当業者が容易に想定できるものあるいは実質的に同一のものが含まれる。また、下記の実施形態、変形例は、適宜組み合わせることができるものである。
【０００９】
〔実施形態１〕
図１は、実施形態１に係るエレベータ装置の概略構成例を示す図である。図２は、実施形態１に係るエレベータ装置のかご室を示す図である。図３は、通常時の表示パネルを示す図である。エレベータ装置１−１は、図１および図２に示すように、かご２と、操作盤３と、表示パネル４と、表示制御装置５と、停電時電力供給装置６とを含んでいる。
【００１０】
かご２は、利用者が乗降するものであり、図示しない昇降路内を図示しない駆動装置により昇降するものである。かご２は、かご室２ａと、扉２ｂと、通常灯２ｃと、天井面２ｄと、床面２ｅとを有する。扉２ｂは、かご室２ａと図示しない乗り場との間に設けられるものであり、図示しない扉開閉装置により開閉が行われる。通常灯２ｃは、天井面２ｄに設けられている。通常灯２ｃは、通常運転時に、商用電源１００から供給される電力により点灯し、かご室２ａを照らすものである。なお、駆動装置は、商用電源１００から電力が供給され作動するものである。
【００１１】
操作盤３は、エレベータ装置１−１を操作するものである。操作盤３には、非常釦３ａと、行先階登録釦３ｂと、開閉釦３ｃと、パネル輝度操作釦３ｄと、非常時通話装置３ｅとを有している。操作盤３は、かご室２ａの壁面、本実施形態では、扉２ｂの右横に設けられている。非常釦３ａは、非常時通話装置３ｅを作動させるものであり、表示パネル４の近傍に設けられている。行先階登録釦３ｂは、かご２の行先階の登録を行うものであり、エレベータ装置１−１の階床数に応じて複数設けられている。かご室２ａの利用者により任意の行先階登録釦３ｂが押されると、エレベータ装置１−１の運転を制御する運転制御装置に行先階が登録され、かご２が駆動装置により登録された行先階まで移動する。開閉釦３ｃは、扉２ｂの開閉を操作するものであり、扉２ｂを開く開釦と、扉２ｂを閉じる閉釦とを有する。かご２の着床時、かご室２ａの利用者により開閉釦３ｃのいずれかが押されると、扉２ｂが開かれ、あるいは閉じられる。パネル輝度操作釦３ｄは、輝度操作手段であり、表示パネル４の輝度を利用者によって変更するものである。かご室２ａの利用者により、パネル輝度操作釦３ｄが操作されると、表示制御装置５が操作に応じて表示パネル４の輝度を変更する。非常時通話装置３ｅは、かご２の外部に設置されている管理端末２００に、例えば電話回線などで接続されている。非常時通話装置３ｅは、図示しないマイクおよびスピーカーを有しており、管理端末２００を介して、かご２の外部の外部者と通話することができる。かご室２ａの利用者により非常釦３ａが押されると、非常時通話装置３ｅにより管理端末２００を介して外部者が呼び出される。非常時通話装置３ｅは、停電時、停電時電力供給装置６から電力が供給されるため、停電時においても使用することができる。なお、管理端末２００は、エレベータ装置１−１が設けられている建物内、例えば管理室、あるいは他の建物内、例えば管理センターに設置されている。
【００１２】
表示パネル４は、かご２の運転情報を点灯することで表示するものである。表示パネル４は、操作盤３、本実施形態では、操作盤３の上部に設けられている。表示パネル４は、かご２の階床、進行方向など運転表示データを表示することで、かご室２ａの利用者にかご２の現在の階床Ａ、進行方向Ｂを認識させる（図３参照）。表示パネル４は、本実施形態では、複数の画素より構成されている液晶パネルである。なお、表示パネル４は、液晶パネルに限定されるものではなく、点灯することで、表示データを表示できるものであればいずれであっても良い。
【００１３】
表示制御装置５は、表示パネル４の点灯を制御するものである。表示制御装置５は、記憶部５１を有する。記憶部５１には、上記運転表示データが記録されている。表示制御装置５は、通常運転時、記憶部５１に予め記憶されている運転表示データをかご２の運転状態に基づいて表示パネル４に表示させるものである。表示制御装置５は、商用電源１００および停電時電力供給装置６と接続されている。従って、表示制御装置５は、商用電源１００あるいは停電時電力供給装置６のいずれかからの電力で表示パネル４を点灯させることができる。
【００１４】
停電時電力供給装置６は、停電時、すなわち商用電源１００からエレベータ装置１−１への電力供給が停止した時に、表示パネル４に電力を供給するものである。停電時電力供給装置６は、かご２に設けられており、例えばバッテリなどの蓄電装置である。
【００１５】
次に、本実施形態に係るエレベータ装置１−１の動作について説明する。通常運転時は、表示制御装置５を介して、商用電源１００からの電力を表示パネル４に供給する。そして、表示制御装置５は、かご２の運転状態に基づいた運転表示データを表示パネル４に表示させる。次に、停電時は、表示制御装置５を介して、停電時電力供給装置６からの電力を表示パネル４に供給する。そして、表示制御装置５は、かご２の運転状態に基づいた運転表示データを表示パネル４に表示させることを中断し、表示パネル４を全面点灯させる。
【００１６】
以上のように、本実施形態に係るエレベータ装置１−１では、停電時、通常灯２ｃが点灯してしなくても表示パネル４を点灯することができ、表示パネル４を停電灯として用いることができる。これにより、停電時、表示パネル４によって、かご室２ａ（床面２ｅ）を照らすことができる。また、かご２の運転情報を表示するための表示パネル４を停電灯として用いるので、かご室２ａに停電灯を別個設けなくて良い。従って、かご室２ａに対する自由な意匠設計を行うことができる。また、停電灯がかご室２ａの意匠に与える影響を抑制することができる。例えば、天井面２ｄに停電灯を設けている場合と比較して、天井面２ｄの意匠性を向上することができる。また、部品点数を削減することができる。また、停電灯として電球を用いないため電球交換が不要となり、保守費用の削減を図ることができる。また、表示パネル４として、液晶パネルを使用すれば、電球と比較して消費電力を低減することができる。なお、表示制御装置５は、停電時、利用者の不安を抑制することができるように、色などを考慮して、表示パネル４を全面点灯させることができる。
【００１７】
また、表示パネル４は、操作盤３に設けられているので、非常釦３ａなどの釦を照らすことができる。従って、利用者による釦の認識性が向上する。また、パネル輝度操作釦３ｄにより表示パネル４の輝度を利用者によって変更することができるので、停電時に、表示パネル４の輝度を低くすることで電力消費を低減させることができる。従って、表示パネル４の点灯による停電時電力供給装置６の残容量の低減を抑制することができ、表示パネル４の点灯可能時間を延長することができる。なお、表示制御装置５は、パネル輝度操作釦３ｄによる表示パネル４の輝度の変更を停電時のみ許可しても良い。
【００１８】
〔変形例１〕
以下、実施形態１に係るエレベータ装置１−１の変形例について説明する。図４は、実施形態１に係るエレベータ装置の変形例を示す図である。同図に示すように、表示パネル４は、かご室２ａの床面２ｅに向けて傾斜していても良い。この場合、表示パネル４は、停電時、水平方向のみならず床面２ｅに向けて光を照射することができる。従って、停電時において、床面２ｅに向かう光により、利用者のかご室２ａにおける視界を広く確保することができる。また、表示パネル４から照射される光のうち、床面２ｅに向かう光があるので、停電時において利用者のまぶしさを低減することができる。
【００１９】
〔変形例２〕
図５は、実施形態１に係るエレベータ装置の変形例を示す図である。同図に示すように、表示パネル４は、かご室２ａの天井面２ｄから床面２ｅまで延在して設けられていても良い。この場合、停電時、天井面２ｄから床面２ｅまで延在して設けられた表示パネル４が全面点灯するので、利用者のかご室２ａにおける視界を広く確保することができる。なお、表示パネル４がかご室２ａの天井面２ｄから床面２ｅまで延在することで、操作盤３に釦の設置が困難である場合は、表示パネル４にタッチパネルを積層し、表示パネル４に、例えば行先階登録釦３ｂ、開閉釦３ｃなどに対応したアイコンを表示させても良い。
【００２０】
〔変形例３〕
図６は、実施形態１に係るエレベータ装置の変形例を示す図である。上記実施形態では、停電時、表示パネル４を全面点灯させたが、停電時表示データを表示させても良い。この場合、記憶部５１には、停電時に表示させる停電時表示データが予め、１つあるいは複数記憶されている。停電時表示データは、停電時において利用者の不安を抑制することができる情報（例えば、利用者が落ち着ける自然の風景など）、あるいは停電時においてかご室２の利用者にとって有益な情報である。変形例では、停電時常時データは、同図に示すように、表示パネル点灯情報Ｃ（例えば、同図に示す「点灯可能時間」）、時間Ｄである。表示制御装置５は、停電時、例えば停電時電力供給装置６の残容量および現在の輝度に基づく表示パネル４の電力消費量に基づいて、停電時電力供給装置６から供給される電力により表示パネル４を点灯することができる点灯可能時間を算出する。そして、表示制御装置５は、表示パネル点灯情報Ｃと、点灯可能時間に基づいた時間Ｄを表示パネル４に表示する。これにより、利用者は、有益な情報、すなわち停電灯として表示パネル４が点灯できる時間を知ることができる。利用者は、点灯可能時間に基づいて、表示パネル４の輝度を変更することができる。
【００２１】
〔実施形態２〕
次に、実施形態２に係るエレベータ装置を説明する。図７は、実施形態２に係るエレベータ装置の概略構成例を示す図である。図８は、停電時の表示パネルを示す図である。図９は、停電時の表示パネルを示す図である。図７に示すように、実施形態２に係るエレベータ装置１−２が実施形態１に係るエレベータ装置１−１と異なる点は、停電時、表示パネル４に表示する停電時表示データを管理端末２００から指示する点である。エレベータ装置１−２は、同図に示すように、かご２と、操作盤３と、表示パネル４と、表示制御装置５と、停電時電力供給装置６とを含んでいる。なお、実施形態２に係るエレベータ装置１−２において、実施形態１に係るエレベータ装置１−１と同一符号で表した構成要素は、同一あるいは近似するものであるので、その説明を省略あるいは簡略化する。
【００２２】
表示制御装置５は、管理端末２００と接続されている。表示制御装置５と管理端末２００との接続は、例えば、非常時通話装置３ｅと管理端末２００とを接続している電話回線など用いても良いし、商用電源１００からの電力を用いずに作動可能な通信装置によって接続されていても良い。
【００２３】
次に、本実施形態に係るエレベータ装置１−２の動作について説明する。停電時は、表示制御装置５を介して、停電時電力供給装置６からの電力を表示パネル４に供給する。そして、表示制御装置５は、かご２の運転状態に基づいた運転表示データを表示パネル４に表示させることを中断し、表示パネル４を全面点灯させる。次に、かご室２ａの利用者と、非常時通話装置３ｅおよび管理端末２００を介して通話した外部者は、作業員をエレベータ装置１−２に向かわせる。このとき、外部者は、管理端末２００により、表示制御装置５に、記憶部５１に記憶されている停電時表示データのうち、作業員の行動、特に作業員の現在位置に関する情報Ｅ（例えば、図８に示す「作業員が向かっています。」）に対応する停電時表示データを表示パネル４に表示させるように指示する。表示制御装置５は、指示に基づいて作業員の行動に関する情報Ｅに対応する停電時表示データを表示パネル４に表示する。また、外部者は、作業員がエレベータ装置１−２に到着したことの連絡を受けた場合、管理端末２００により、表示制御装置５に、記憶部５１に記憶されている停電時表示データのうち、作業員の行動、特に作業員のエレベータ装置１−２に対する作業に関する情報Ｆ（例えば図９に示す「作業員が作業中」）に対応する停電時表示データを表示パネル４に表示させるように指示する。表示制御装置５は、指示に基づいて作業員の行動に関する情報Ｆに対応する停電時表示データを表示パネル４に表示する。
【００２４】
以上のように、本実施形態に係るエレベータ装置１−２では、上記実施形態１と同様の効果を奏するとともに、停電時、表示制御装置５が管理端末２００からの指示により、作業員の行動に関する情報を表示パネル４に表示させる。従って、停電時、かご室２ａの利用者は有益な情報を得られるので、利用者の不安を低減することができる。
【００２５】
〔実施形態３〕
次に、実施形態３に係るエレベータ装置を説明する。図１０は、実施形態３に係るエレベータ装置の概略構成例を示す図である。同図に示すように、実施形態３に係るエレベータ装置１−３が実施形態１に係るエレベータ装置１−１と異なる点は、停電時、表示パネル４に表示する停電時表示データを携帯端末３００から指示する点である。エレベータ装置１−３は、同図に示すように、かご２と、操作盤３と、表示パネル４と、表示制御装置５と、停電時電力供給装置６と、無線装置７とを含んでいる。なお、実施形態３に係るエレベータ装置１−３において、実施形態１に係るエレベータ装置１−１と同一符号で表した構成要素は、同一あるいは近似するものであるので、その説明を省略あるいは簡略化する。
【００２６】
無線装置７は、かご２の外部の携帯端末３００と無線でデータの送受信を行うものであり、携帯端末３００から表示制御装置５への指示を受信するものである。無線装置７は、表示制御装置５と接続されており、停電時、停電時電力供給装置６からの電力により作動するものである。
【００２７】
携帯端末３００は、作業員を装備しているものである。携帯端末３００は、有線、無線により、管理端末２００、エレベータ装置１−３の制御装置などとの間で各種のデータの送受信が可能である。
【００２８】
次に、本実施形態に係るエレベータ装置１−３の動作について説明する。停電時は、表示制御装置５を介して、停電時電力供給装置６からの電力を表示パネル４に供給する。そして、表示制御装置５は、かご２の運転状態に基づいた運転表示データを表示パネル４に表示させることを中断し、表示パネル４を全面点灯させる。次に、外部者から連絡を受けた作業員がエレベータ装置１−３に到着すると、作業員は、携帯端末３００により、無線装置７を介して表示制御装置５に、記憶部５１に記憶されている停電時表示データのうち、作業員の行動、特に作業員のエレベータ装置１−２に対する作業に関する情報Ｆ（例えば図９に示す「作業員が作業中」）に対応する停電時表示データを表示パネル４に表示させるように指示する。表示制御装置５は、指示に基づいて作業員の行動に関する情報Ｆに対応する停電時表示データを表示パネル４に表示する。
【００２９】
以上のように、本実施形態に係るエレベータ装置１−３では、上記実施形態１と同様の効果を奏するとともに、停電時、表示制御装置５が携帯端末３００からの指示により、作業員の行動に関する情報を表示パネル４に表示させる。従って、停電時、かご室２ａの利用者は有益な情報を得られるので、利用者の不安を低減することができる。
【符号の説明】
【００３０】
１−１〜１−３  エレベータ装置
２  かご
２ａ  かご室
２ｂ  扉
２ｃ  通常灯
２ｄ  天井面
２ｅ  床面
３  操作盤
３ａ  非常釦
３ｂ  行先階登録釦
３ｃ  開閉釦
３ｄ  パネル輝度操作釦
３ｅ  非常時通話装置
４  表示パネル
５  表示制御装置
５１  記憶部
６  停電時電力供給装置
７  無線装置
１００  商用電源
２００  管理端末
３００  携帯端末
【図１】
2012056739.tif 000003
【図２】
2012056739.tif 000004
【図３】
2012056739.tif 000005
【図４】
2012056739.tif 000006
【図５】
2012056739.tif 000007
【図６】
2012056739.tif 000008
【図７】
2012056739.tif 000009
【図８】
2012056739.tif 000010
【図９】
2012056739.tif 000011
【図１０】
2012056739.tif 000012